(57)【要約】【課題】メディアの挿排出口において、良好な防塵性及びノイズの遮蔽性を有するメディア再生装置を提供することを目的とする。【解決手段】メディア挿排出口（１１）と、メディア挿入排出口に設けられ且つ導電性材料から構成される遮蔽部材（２１、２２）と、遮蔽部材に設けられた開放防止機構（２５）を有することを特徴とするメディア再生装置。【選択図】図３
2009076115.tif 000002
【特許請求の範囲】
【請求項１】
メディア挿排出口と、
前記メディア挿排出口に設けられ、導電性材料から構成される遮蔽部材と、
前記遮蔽部材に設けられた開放防止機構と、
を有することを特徴とするメディア再生装置。
【請求項２】
前記開放防止機構は、前記遮蔽部材に非直線的に形成されたスリットである、請求項１に記載のメディア再生装置。
【請求項３】
前記開放防止機構は、前記遮蔽部材の厚み方向に対して斜めに形成されたスリットである、請求項１又は２に記載のメディア再生装置。
【請求項４】
前記開放防止機構は、重ねて配置された前記遮蔽部材又は前記遮蔽部材に形成されたスリットを覆うように配置された補助導電性織布である、請求項１〜３の何れか一項に記載のメディア再生装置。
【請求項５】
前記遮蔽部材は、放熱を行うための熱伝導性材料から構成される、請求項１〜４の何れか一項に記載のメディア再生装置。
【発明の詳細な説明】
【技術分野】
【０００１】
本発明は、メディア再生装置、特に、メディアの挿排出口に導電性材料から構成される遮蔽部材を有するメディア再生装置に関する。
【背景技術】
【０００２】
ディスクプレーヤのディスクの挿入口の裏面に、ディスクが通過可能な切りこみが形成された柔軟性を有する薄い防塵用部材を設けることが知られている（例えば、特許文献１）。
【０００３】
図１は、上記の従来例を模式化した図である。図１（ａ）はディスクの挿入口の裏面側から観察した図であり、図１（ｂ）は図１（ａ）のＸＸ´断面図である。
【０００４】
ディスクの挿入口２の裏面には、ディスクが通過可能な切りこみ３を有し、柔軟性を有する薄い防塵用部材３が設けられている。防塵用部材３の切りこみ４は、単なるスリットに過ぎないので、特にその中央部等で切りこみ４が常にうまく閉じているとは限らず、高い防塵効果を得ることができないという不具合があった。
【０００５】
また、ディスクの挿入口２は、塵等だけではなく、電磁波等のノイズ（エミッションノイズ及びＥＳＤ（Electrostatic Discharge）を含むイミュニティノイズ）の侵入口となる場合もあった。例えば、ディスクの挿入口にＣＤやＤＶＤの直径に対応した１３０ｍｍ幅のスリットを設けた場合には、１．１５ＧＨｚの固有周波数を有し、その整数部で共振するスリットアンテナになるので、スリットは電磁波等の侵入や排出を有効に防止することはできなかった。
【０００６】
【特許文献１】実開平７−１９８９１号公報（図２）
【発明の開示】
【発明が解決しようとする課題】
【０００７】
そこで、本発明は、メディアの挿排出口において、良好なノイズの遮蔽性を有するメディア再生装置を提供することを目的とする。
【０００８】
また、本発明は、メディアの挿排出口において、良好な防塵性及びノイズの遮蔽性を有するメディア再生装置を提供することを目的とする。
【課題を解決するための手段】
【０００９】
本発明に係るメディア再生装置は、メディア挿排出口と、メディア挿入排出口に設けられ且つ導電性材料から構成される遮蔽部材と、遮蔽部材に設けられた開放防止機構を有することを特徴とする。
【発明の効果】
【００１０】
本発明に係るにメディア再生装置によれば、メディアの挿排出口に、開放防止機構の付いた導電性材料による遮蔽部材を設けたので、メディア再生装置内へのノイズの侵入を効果的に遮蔽することが可能となった。
【００１１】
また、本発明に係るにメディア再生装置によれば、メディアの挿排出口に、開放防止機構の付いた導電性材料による遮蔽部材を設けたので、メディア再生装置内への塵及びノイズの侵入を効果的に遮蔽することが可能となった。
【発明を実施するための最良の形態】
【００１２】
以下図面を参照して、本発明に係るメディア再生装置について説明する。但し、本発明の技術的範囲はそれらの実施の形態に限定されず、特許請求の範囲に記載された発明とその均等物に及ぶ点に留意されたい。
【００１３】
図２及び３は本発明に係るメディア再生装置のパネル１０を示す図である。図２（ａ）はパネル１０の正面図であり、図２（ｂ）はパネル１０の裏面図であり、図３は図２（ｂ）のＹＹ´断面図である。
【００１４】
パネル１０は、メディア再生装置の操作面上に配置されて利用されるものであり、ＣＤ及びＤＶＤ用の挿排出口１１を有している。なお、メディア再生装置は、操作部、ＣＤ及びＤＶＤから光学情報を読みとるための光ピックアップ、ＣＤ及びＤＶＤを回転させるためのスピンドルモータターンテーブル、再生等された光学情報をデジタル情報に変換してスピーカ等に出力するための信号処理部等を含んで構成されている。なお、図２及び図３では、パネル１０は、ＣＤ及びＤＶＤ用の挿排出口１１を有しているが、メディアとして、ＢＤ（Blue-ray Disc）、ＨＤ−ＤＶＤ（High Definition Digital Versatile Disc)、ＭＤ等を利用できるように構成しても良い。
【００１５】
パネル１０の挿排出口１１の裏側には、シールド機構２０が配置されている。シールド部材２０は、遮蔽部材として機能する第１導電性織布２１及び第２導電性織布２２とフェライトコア２４とから構成されている。第１導電性織布２１と第２導電性織布２２は、重畳部２５において相互に重なるように配置され、１２箇所のスポット２３の箇所でパネル１０の枠体に接着されている。また、フェライトコア２４は、第１導電性織布２１と第２導電性織布２２の周りを囲うように配置されている。導電性織布２２としては、例えば、セーレン（株）のＳｕｉ−８０−７０５（厚さ２５０μｍ、表面抵抗０．０４Ω／ｓｑ）等を利用することができる。
シールド機構２０では、重畳部２５において、上側の第１導電性織布２１が下側の第２導電性織布２２を覆うよう、相互に重なり合うように配置にていることから、常に挿排出口１１全体に渡って開放部分を生じさせないように構成されている。したがって、高い防塵効果を得ることができる。
【００１６】
また、シールド機構２０では、重畳部２５において、２枚の導電性織布を重ね合わせるように配置していることから、導電性織布のシールド効果によって、電磁波等のノイズの侵入を軽減することが可能となる。さらに、２枚の導電性織布の周囲には、フェライトコア２４が配置されており、ファライトコア２４によって、高周波系のノイズの一部の磁束の方向を変えたり、高周波系のノイズの一部を熱エネルギーに変換したりすることによって、挿排出口１１を出入りする電磁波等のノイズを更に軽減することができる。
【００１７】
以上のように、シールド機構２０は、重畳部２５において、２枚の導電性織布を重ね合わせるように配置した上に、２枚の導電性織布の周囲にフェライトコア２４を配置したことから、挿排出口１１から侵入する塵及びノイズを軽減させる効果を有している。
【００１８】
なお、挿排出口１１から侵入する塵をあまり考慮する必要がない場合には、重畳部２５を設けず、フェライトコア２４のみを配置することによって、ノイズ軽減効果のみを期待するように構成することも可能である。
【００１９】
図４は、他のシールド機構１００を示す図である。図４（ａ）はパネル１０の裏面側からその一部を示す図であり、図４（ｂ）は図４（ａ）のＺＺ´断面図である。
【００２０】
図４に示すシールド機構１００では、１枚の導電性織布１０１をパネル１０の枠体に接着し、遮蔽部材として機能する導電性織布１０１にＣＤ及びＤＶＤの挿排出口１１に対応する箇所にスリット１０２となる切り込みを設け、上下に配置したフェライト板１０３及び１０４でスリット１０２の中央部を挟み込むように構成した。
【００２１】
シールド機構１００において、スリット１０２は単なる切り込みであるので、その中央部が開放してしまい常に高い防塵効果を得ることができない可能性がある。しかしながら、導電性織布１０１のシールド効果によって、スリット１０２の中央部以外ではスリット１０２が常に閉じているものと考えられるので、ノイズとなる電磁波等の侵入を軽減することが可能となる。また、スリット１０２の中央部を挟み込むように配置したフェライト板１０３及び１０４の間では、高周波系のノイズの一部の磁束の方向を変えたり、高周波系のノイズの一部を熱エネルギーに変換したりすることによって、スリット１０２の中央部を出入りする電磁波等のノイズを軽減することができる。即ち、導電性織布１０１とフェライト板１０３及び１０４によって、スリット１０２全体に渡って、出入りする電磁波等のノイズを軽減することが可能となる。
【００２２】
図４に示す他のシールド機構１００は、図２に示したシールド機構２０の代わりに、本発明に係るメディア再生装置に用いることが可能である。
【００２３】
図５は、更に他のシールド機構１１０を示す図である。図５（ａ）はパネル１０の裏面側からその一部を示す図であり、図５（ｂ）は図５（ａ）のＺＺ´断面図である。
【００２４】
図５に示すシールド機構１１０では、１枚の導電性織布１１１をパネル１０の枠体に接着し、遮蔽部材として機能する導電性織布１１１にＣＤ及びＤＶＤの挿排出口１１に対応する箇所にスリット１１２となる切り込みを設けた。また、スリット１１２の形状を単なる直線状とはせず、ノコギリ歯状に形成した。
【００２５】
ところで、挿排出口１０に導電性織布を利用することによって、導電性織布のスリット部分は、λ／２で共振するスリットアンテナとして機能する。また、λ／２は基本波共振と呼ばれ、その整数倍の周波数でもスリットアンテナは共振することとなる。さらに、基本波共振はアンテナの固有周波数と呼ばれ、スリットアンテナにおいては固有周波数では共振が生じ、その様な固有周波数を有する電波はスリットアンテナを通過してしまうこととなる。
【００２６】
スリット部分の長さと固有周波数との間には所定の相関性があり、例えば、長さ２００ｍｍ幅のスリットでは、１．５ＧＨｚの固有周波数を有し、その整数倍（３ＧＨｚ、４．５ＧＨｚ、６ＧＨｚ・・・）で共振するスリットアンテナとなる。これに対して、長さ１００ｍｍ幅のスリットアンテナでは、３ＧＨｚの固有周波数を有し、その整数倍（６ＧＨｚ、９ＧＨｚ、１２ＧＨｚ・・・）で共振するスリットアンテナとなる。このように、スリットが長いほど、共振する周波数が増える、即ち、スリットが長いほど、導電性織布によるスリットを通過してしまう電磁波等のノイズが多くなることを意味する。
【００２７】
図５に示すように、スリット１１２をノコギリ歯状に形成すると、スリット１１２は、ノコギリ歯の頂点部分の複数の接点で分割されるため、直線部分の小スリット１１３が複数集まって構成されたものと見なすことができる。小スリット１１３の長さｓ２は、全体の長さｓ１に比べて非常に小さいので、それだけ固有周波数を高くすることができ、したがって、スリットを通過してしまう電磁波等のノイズを軽減させることが可能となる。
【００２８】
さらに、図５に示すように、スリット１１２をノコギリ歯状に形成すると、スリット１１２は、ノコギリ歯の頂点部分で複数の接点を有するため、スリット１１２の中央部分においても、常に導電性織布１１１を閉じて置くことが可能となり、挿排出口からの塵の侵入をも防止することが可能となる。
【００２９】
なお、図５の例では、ノコギリ歯状のスリット１１２を設けるように構成したが、ノコギリ歯状でなくても、正弦波状、矩形波状等の非直線形状であって、スリットの幅方向において、複数の接点を有するような形状としても良い。
【００３０】
図５に示す他のシールド機構１１０は、図２に示したシールド機構２０の代わりに、本発明に係るメディア再生装置に用いることが可能である。
【００３１】
図６は、更に他のシールド機構１２０を示す図である。図６（ａ）はパネル１０の裏面側からその一部を示す図であり、図６（ｂ）は図６（ａ）のＺＺ´断面図である。
【００３２】
図６に示すシールド機構１２０では、１枚の導電性織布１２１をパネル１０の枠体に溶着し、遮蔽部材として機能する導電性織布１２１にＣＤ及びＤＶＤの挿排出口１１に対応する箇所にスリット１２２となる切り込みを設けた。
【００３３】
スリット１２２は、導電性織布１２１の厚さ方向に対して斜め方向となるように構成されている。このような構成とすることで、スリット１２２の上下において、導電性織布１２１が接触し易くなり、即ちスリットの幅方向において、複数の接点を有することとなる。図５において説明した理由と同様に、スリット１２２を通過してしまう電磁波の固有周波数を高くすることができ、したがって、スリットを通過してしまう電磁波等のノイズを軽減させることが可能となる。
【００３４】
なお、図６の例では、導電性織布１２１の厚さ方向に対して斜め方向となるようにスリット１２２を構成するので、導電性織布１２１の厚さを図２〜５の例の場合の導電性織布に比べて厚くすることが好ましい。導電性織布１２１として、例えば、セーレン（株）のＳｕｉ−８０−７８６０Ｎ（厚さ６００μｍ、表面抵抗０．０４Ω／ｓｑ）等を利用することができる。
図６に示す他のシールド機構１２０は、図２に示したシールド機構２０の代わりに、本発明に係るメディア再生装置に用いることが可能である。
【００３５】
図７は、更に他のシールド機構１３０を示す図である。図７（ａ）はパネル１０の裏面側からその一部を示す図であり、図７（ｂ）は図７（ａ）のＺＺ´断面図である。
【００３６】
図７に示すシールド機構１３０では、導電性織布１３１をパネル１０の枠体に接着し、遮蔽部材として機能する導電性織布１３１にＣＤ及びＤＶＤの挿排出口１１に対応する箇所にスリット１３２となる切り込みを設け、さらに、パネル１０の裏側からスリット１３２を覆うように補助導電性織布１３３をパネル１０の枠体に溶着するように構成した。
【００３７】
シールド機構１３０では、導電性織布１３１と補助導電性織布１３３が、相互に重なり合うように配置されていることから、常に挿排出口１１全体に渡って開放部分を生じさせないように構成されている。したがって、高い防塵効果を得ることができる。
【００３８】
また、シールド機構１３０では、補助導電性織布１３３を導電性織布１３１のスリット１３２を覆うように配置していることから、導電性織布のシールド効果によって、電磁波等のノイズの侵入を軽減させることが可能となる。
【００３９】
なお、図７に示す補助導電性織布１３３を、図２及び図３に示すシールド機構２０、図４に示すシールド機構１００、図５に示すシールド機構１１０、及び図６に示すシールド機構１２０の各スリット部を覆うように、パネル１０の裏側から配置しても良い。
【００４０】
図７に示す他のシールド機構１３０は、図２に示したシールド機構２０の代わりに、本発明に係るメディア再生装置に用いることが可能である。
【００４１】
図８は、更に他のシールド機構１４０を示す図である。図８（ａ）はパネル１０の裏面側からその一部を示す図であり、図８（ｂ）は図８（ａ）のＺＺ´断面図である。
【００４２】
図８に示すシールド機構１４０では、導電性織布１４１をパネル１０の枠体に接着し、遮蔽部材として機能する導電性織布１４１にＣＤ及びＤＶＤの挿排出口１１に対応する箇所にスリット１４２となる切り込みを設け、さらに、導電性織布１４１のスリット１４２の上下に、磁石等の磁性部材１４３及び１４４を埋め込むように構成した。
【００４３】
磁性部材１４３及び１４４が相互に引き合うことによって、スリット１４２は常に閉じるので、高い防塵効果を得ることができき、導電性織布のシールド効果によって、電磁波等のノイズの侵入を軽減させることが可能となる。
【００４４】
なお、磁性部材１４３及び１４４は、スリット１４２の幅全体に渡って設けても良いが、特にスリット１４２の中央部分にのみ配置されていても良い。また、図８の例では、磁性部材１４３及び１４４を導電性織布１４１内に埋め込むようにして配置したが、それに限定されず、導電性織布１４１のスリット１４２の端部に貼り付けるようにしても良い。
【００４５】
図９は、更に他のシールド機構１５０を示す図である。図９（ａ）はパネル１０の裏面側からその一部を示す図であり、図９（ｂ）は図９（ａ）のＺＺ´断面図である。
【００４６】
図９に示すシールド機構１５０では、導電性織布１５１をパネル１０の枠体に接着し、遮蔽部材として機能する導電性織布１５１にＣＤ及びＤＶＤの挿排出口１１に対応する箇所にスリット１５２となる切り込みを設け、さらに、導電性織布１５１のスリット１５２の上下に、マジックテープ（登録商標）の雄側に相当する第１部材１５３及び雌側に相当する第２部材１５４を設けた。第１部材１５３及び第２部材１５４が互いに絡み合って引き合うため、スリット１５２は常に閉じるので、高い防塵効果を得ることができ、更に導電性織布１５１のシールド効果によって、電磁波等のノイズの侵入を軽減させることが可能となる。
【００４７】
なお、第１部材１５３及び第２部材１５４は、スリット１５２の幅全体に渡って設けても良いが、特にスリット１５２の中央部分にのみ配置されていても良い。
【００４８】
上記では導電性織布を用いた各種シールド機構について説明したが、各種シールド機構において、導電性織布の代わりに、導電性織布にファライト粉等の金属磁性体粉末が含有された織布を利用するようにしても良い。ファライト粉等の金属磁性体粉末によって、織布を通過する電磁波等が熱に変換されることによって、よりノイズの通過を軽減させることが可能となる。
【００４９】
また、上記では導電性織布を用いた各種シールド機構について説明したが、各種シールド機構において、導電性織布の代わりに、優れたノイズ抑制機能と熱伝搬性を備えた電波吸収ゲルシート（例えば、森宮電機（株）のＭＧＥ４５Ｂ）、電磁波吸収特性を備えた熱伝導シートであるクールプロバド（登録商標）等を利用することもできる。このような、熱伝導デイに優れたシート材料を利用することによって、電磁波等のノイズの侵入を軽減させると共に、メディア再生装置内に篭った熱を外部に放熱することも可能となる。
【００５０】
さらに、上記では各種シールド機構を例にして、重畳部２５、非直線状のスリット１１２、導電性織布の厚み方向に対して斜めに形成されたスリット１２２、スリットを覆うように配置された補助導電性織布１３３、磁性部材１４３及び１４４、及びマジックテープ（登録商標）素材１５３及び１５４等の導電性織布の開閉防止機構について説明したが、上述の開閉防止機構を複数組みあせて利用しても良い。例えば、非直線状のスリット１１２に補助導電性織布１３３を重ねて配置し、磁性部材１４３及び１４４を設けるようにしても良い。
【図面の簡単な説明】
【００５１】
【図１】従来例を示す図である。
【図２】メディア再生装置のパネル示す図である。
【図３】図２のＸＸ´断面図である。
【図４】他のシールド機構を示す図である。
【図５】更に他のシールド機構を示す図である。
【図６】更に他のシールド機構を示す図である。
【図７】更に他のシールド機構を示す図である。
【図８】更に他のシールド機構を示す図である。
【図９】更に他のシールド機構を示す図である。
【符号の説明】
【００５２】
１０    メディア再生装置のパネル
１１    挿排出口
２０、１００、１１０、１２０、１３０、１４０、１５０    シールド機構
２１、２２、１０１、１１１、１２１、１３１、１３３、１４１、１５１    導電性織布
１０２、１１２、１２２、１３２、１４２、１５２    スリット
２４    フェライトコア
【図１】
2009076115.tif 000003
【図２】
2009076115.tif 000004
【図３】
2009076115.tif 000005
【図４】
2009076115.tif 000006
【図５】
2009076115.tif 000007
【図６】
2009076115.tif 000008
【図７】
2009076115.tif 000009
【図８】
2009076115.tif 000010
【図９】
2009076115.tif 000011